【事件の表示】
　特願２００１−７７６８７「画像診断装置」拒絶査定不服審判事件〔平成１４年９月２４日出願公開，特開２００２−２７２７４４〕について，次のとおり審決する。
【結　論】
　本件審判の請求は，成り立たない。
【理　由】
第１　本願発明　
　本願は，平成１３年３月１９日の特許出願であって，その請求項１〜９に係る発明は，特許請求の範囲の請求項１〜９に記載された事項により特定されるものと認められるところ，その請求項３に係る発明は，次のとおりである。　
　　
「【請求項３】　
  被検体からの反射可視光または赤外線を撮像する撮像装置と、　
  透過スペクトルを可変できる波長可変フィルタと、　
  前記波長可変フィルタを介して前記撮像装置で撮像した画像を処理することで、被検体の血流状態を示すイメージの画像を生成する画像処理部とを備える画像診断装置であって、　
  前記画像処理部は、血液中の還元ヘモグロビンの反射ピーク波長の一つに透過ピークを持つように前記波長可変フィルタを調整して撮像した画像と、前記反射ピーク波長での反射率よりも低い反射率を示す波長に透過ピークを持つように前記波長可変フィルタを調整して撮像した画像との差分を演算し、前記被検体の還元ヘモグロビンの分布状態を示す差分画像を生成することを特徴とする画像診断装置。」（以下，「本願発明」という。）　
　　
第２　引用刊行物の記載事項　
　原査定の拒絶の理由に引用され，本願出願前に頒布された刊行物１（米国特許第５７４７７８９号明細書）には，「人体組織中の生理的な成分の分布の調査のための方法およびその実施のための装置」について，図面と共に次の記載がある。　
　　
（１−ア）　
「The method of investigation of physiological components distribution in human body tissues includes optical illumination of the investigated area, recording of the spatial distribution of the intensity of the light reflected by the investigated area within a definite period of time through sequential time intervals, which are small compared to the time constant of the investigated process. The wavelength of the illuminating or recorded reflected radiation is chosen at one of the spectral intervals with a maximal steepness of the spectral changes in the physiological pigments absorption, this radiation being modulated by the frequency and the amplitude-modulated part of the reflected light thus appearing is recorded synchronously at the modulation frequency. In one aspect of the method, the investigated area is illuminated at one or several points and the reflected radiation is recorded at points shifted relative to the illuminated ones. An apparatus for investigation of distribution of physiological components in human body tissues contains an illuminator for the optical illumination of the investigated area with a control block, a detecting device for recording of the investigated area images, means for assignment of the radiation wavelength, a system of image formation, a video control device, a dynamic interface board for formation and accumulation at the video memory of the image processing system of the frame sequence.」（表紙頁右欄，当審仮訳：「人体組織中の生理的な成分分布の調査の方法は，調査領域の光学的照明を含み，調査されたプロセスの時定数と比較して小さい，連続する時間区間（interval）で一定時間内に調査領域により反射された光の強度の空間分布を記録する。照明あるいは記録された反射光の波長は，生理的な色素の吸収において，スペクトル変化の最大的の大きさを有するスペクトル区間のうちの１つで選択され，このように現れる周波数変調された反射光および反射光の振幅−変調された部分は，変調周波数に同期して記録される。方法の１つの態様では，調査領域は，１あるいはいくつかのポイントで照明される。また，反射された放射は，照明されたポイントに対応してシフトされたポイントで記録される。人体組織中の生理的な成分の分布の調査用装置は，制御ブロックを備えた調査領域の光学的照明用の照明器，調査領域画像の記録用の検知デバイス，放射波長の指定手段，結像システム，ビデオ制御デバイス，およびフレームシーケンスの画像処理システムのビデオメモリの形成と蓄積のためのダイナミックインターフェースボードを含んでいる。」）　
　　
（１−イ）　
「The claimed method of the investigation of the physiological components in human body tissues is based on the dependence of the intensity of light, scattered by the investigated surface, on the physiological liquids content at the near surface tissue layers. The distribution of the scattered light intensity over the investigated subject surface represents, to the point, its image at the given wavelength. The method can be realized with the help of an apparatus shown in FIG. 1, where 1 is an investigated area of a human body, 2 is an illuminator, 3 is a detecting device, 4 is a dynamic interface board, 5 is a computer with a video control device, 6 is a device for the frequency modulation of the recorded radiation supplied with a driver; 7 is an illuminator control block, 8 is a control block of the detecting spectral band, 9 is a synchronous accumulator of the spectral images differences and 10 is an input output controller.　
　To realize the suggested method, the investigated area 1 of human body is illuminated by optical radiation with the help of illuminator 2, consisting of a diffusely scattering reflector, with the size much larger than that of the investigated area, and of at least one light source, turned to the reflector, which is put up so that to avoid a direct light falling into the investigated area, and manageable block 7 of the illuminator control. The spatial distribution of the intensity of light reflected from the investigated area is recorded at fixed time moments through sequential time intervals, small enough as compared with the time constant of the process investigated, with the help of detecting device 3 supplied with a system of formed images, of synchronous accumulator 9 of differences of spectral images and of dynamic interface board 4, coupled to computer 5 with video control device. The map sequences of the spatial distribution of the intensity of the reflected light thus obtained gives information on a spatial picture of the functional dynamics of the arterial and venous capillary blood content. The illuminating radiation spectrum is assigned by a corresponding command from computer 5 via the illuminator control block 7 by means of changing spectral filters or by electric switching over the illuminator sources with different radiation spectra, photodiodes, for example. Spectrum of the recorded radiation could be put up by control block 8 of the detecting spectral band assignment.」（３欄６５行〜４欄３９行，当審仮訳：「人体組織中の生理的な成分の調査の請求された方法は，調査表面によって散乱された光強度の依存性と，表面に近い組織層の生理的液状成分とに基づく。調査される対象表面上の散乱光強度の分布は，適切に，与えられた波長でのその画像を表わす。方法は，図１中に示される装置の助けを借りて実施することができる。ここで，１は人体の調査領域であり，２は照明器で，３は検知デバイスで，４はダイナミックインターフェースボードで，５はビデオ制御装置を備えたコンピューターで，６はドライバで供給された記録される放射の周波数変調用のデバイスで，７は照明器制御ブロックで，８は検出するスペクトルバンドの制御ブロックで，９はスペクトル画像差分の同期アキュムレーターで，そして，１０はインプットアウトプット・コントローラーである。　
　示唆された方法を実施するために，人体の調査領域１は，照明器２の助けを借りて光学的放射によって照明される。照明器は，調査領域よりはるかに大きなサイズを有する広く分散性の反射器と，反射器に向けられた少なくとも１つの光源とからなり，直接光が調査領域に落ちることを避けるように配置され，そして照明器コントロールのブロック７がある。調査領域から反射された光の強さの空間分布は，調査されるプロセスの時定数と比較して十分に小さい連続する時間区間を通して固定時間モーメントで，記録される。形成画像システムで供給された検知デバイス３の助け，スペクトル画像の違いの同期アキュムレーター９の助け，およびビデオ制御装置を備えたコンピューター５に結合されたダイナミックインターフェースボード４の助けを借りる。このようにして得られた反射光の強度の空間分布のマップシーケンスは，動脈および静脈性毛細血管血液成分の機能的な動きの空間的な絵（picture）についての情報を与える。照明放射線スペクトルは，スペクトルフィルターの変更手段によって，あるいは異なる放射スペクトルを備えた光源，例えばフォトダイオード，への電気的スイッチングによって照明器制御ブロック７に対してコンピューター５から対応する命令が割り当てられる。検出される放射のスペクトルは，検出スペクトル帯域指定の制御ブロック８によって設置し得る。」）　
　　
（１−ウ）　
「To separate the partial image dynamics, connected with changes in the microcirculation and cell metabolism, filtering of the illuminating and recorded radiation is carried out at the spectral ranges of the light absorption by the main physiological pigments of the biological tissues: oxyhemoglobin, deoxygenated hemoglobin and cytochrome aa3, for example. In addition, spectral selection of the radiation at the above mentioned ranges promotes the exclusion of only slightly wavelength dependent reflection of the illuminating radiation, coming from the near surface epidermis layer, not-containing blood vessels.　
For performing an additional selection of signals connected with the tissue blood content at the background of epidermis, a frequency modulation of the illuminating radiation is performed at the wavelength ranges of a strong spectral dependence of the physiological pigments absorption, since optical absorption of epidermis is only slightly dependent on the radiation wavelength. The frequency modulation of the illuminating radiation results in an amplitude modulation of radiation reflected from the tissues, containing the physiological pigments, such radiation is recorded by synchronous detecting at the modulation frequency of the illuminating radiation wavelength. Under the conditions of such frequency modulation, the spectral band of the radiation used must be less than the frequency (wavelength) interval, over which the frequency (wavelength) modulation is performed. Taking into consideration spectral dependency of the reflective capability (R=I/Io) of biological tissues cited, for example, in Jacquez J. A. et al. Spectral Reflectance of Human Skin in the Region 235-1000 nm, J. Applied Physiology, 1955, vol. 7, No. 3, pp. 523-528, several spectral ranges could be separated, where abrupt changes in the absorption coefficient, as well as in the coefficients of the back scattering and reflective capability, take place. At the spectral range under investigation, the reflective capability is determined only in a small extent by Fresnel's reflection (R.sub.suf =4-6%) from the surface, and the main contribution is made by the radiation, back scattered from the tissues depth (R.sub.scat 50%), where the main physiological pigment, hemoglobin, and water are located. To record the total hemoglobin (oxy- and deoxy-) content in tissues of up to 2-3 mm depth, the radiation frequency (wavelength) is modulated at the spectral range of about 0.59μ wavelength, the minimal wavelength is chosen to be in the wavelength interval from 0.53 to 0.58μ(the main visible hemoglobin absorption band) and the maximal one--from 0.60 to 0.63μ. For recording hemoglobin content at a lesser depth (less than 1 mm), the wavelength near 0.43μ is modulated, the minimal wavelength being chosen at the interval 0.38-0.43μ(Sore band of hemoglobin absorption) and the maximal one at the range of 0.46 0.50μ.」（５欄４〜５２行，当審仮訳：「微小循環および細胞物質代謝における変化に関係する，部分的画像ダイナミックスを分離するために，照明および記録される放射のフィルタリングが，生物組織の主な生理的色素：例えば，オキシヘモグロビン，デオキシヘモグロビンおよびチトクロムａａ３，による光吸収のスペクトル範囲で実施される。さらに，上記の範囲での放射のスペクトル選択は，血管を含んでいない表面に近い表皮層から来る照明放射のわずかにだけ波長依存性の反射の排除を促進する。　
　表皮のバックグラウンドで組織血液成分と関係する信号の追加的選別を行なうために，表皮の光吸収が放射波長にわずかだけしか依存しないので，照明光の周波数変調は，生理的色素の吸収の強いスペクトル依存度の波長帯域で行なわれる。照明光の周波数変調は，生理的色素を含んでいる組織から反射された放射の振幅変調に帰着し，そのような放射は，照明光波長の変調周波数の同期検知することにより記録される。そのような周波数変調の条件の下では，使用された放射のスペクトル帯域は，周波数（波長）変調がそれついて行なわれる周波数（波長）区間よりも小さなものでなければならない。引用された，例えば，Jacquez　Ｊ．Ａ．ら，２３５−１０００ｎｍ領域における人間の皮膚の分光反射率，Ｊ．Applied　Physiology，1955，vol．７，No．３，pp５２３−５２８，において述べられている生物学的組織の反射能（Ｒ＝Ｉ／Ｉ０）のスペクトル依存性を考慮に入れると，いくつかのスペクトル範囲を分離することができるかもしれない。そこでは，吸収係数における急激な変化が，後方散乱および反射能係数におけると同様に起こる。調査中のスペクトル範囲では，反射能は，表面からのフレネル反射（Ｒsuf＝４−６％）によって小程度にのみ決定され，そして主要な生理的色素，ヘモグロビン，および水が存在する，組織深さ（Ｒscat＞５０％）から後方散乱された放射によって，主として寄与される。２−３ｍｍまでの深さの組織の総ヘモグロビン（オキシ−およびデオキシ−）成分を記録するために，放射周波数（波長）は約０．５９μ波長のスペクトル範囲で変調され，最小波長は，０．５３から０．５８μ（主な可視のヘモグロビン吸収帯）まで波長区間で，また最大波長は０．６０から０．６３μである。より浅い深さ（１ｍｍ未満）でヘモグロビン濃度を記録するために，０．４３μの近くの波長が変調され，最小の波長は区間０．３８−０．４３μ（ヘモグロビン吸収の激しい帯域）で選ばれ，そして最大の波長は０．４６−０．５０μの範囲で選ばれる。」）　
　　
（１−エ）　
「To record the partial deoxygenated hemoglobin concentration, the wavelength modulation is performed near 0.68μ. wavelength, at which oxyhemoglobin absorption is minimal (frequency derivative is equal to zero). The modulation interval is chosen from 0.63 to 0.72μ.」（５欄５３〜５７行，当審仮訳：「部分的デオキシヘモグロビン濃度を記録するために，波長変調は０．６８μの近くで行なわれる。その波長では，オキシヘモグロビン吸収が最小である（波長変動係数がゼロに等しい）。変調区間は０．６３から０．７２μまでで選択される。」）　
　　
（１−オ）　
「Instead of modulation of the illuminating radiation wavelength, a wide band illumination with the spectral band wider than the modulation intervals can be used; in this case, the detecting spectral band of the photodetectors is modulated with a subsequent synchronous detecting of an appearing amplitude-modulated signal.」（６欄２６〜３１行，当審仮訳：「照明光波長の変調の代わりに，変調区間より広いスペクトル帯域を有する広帯域照明が使用され得る；この場合，光検出器の検知スペクトル帯域は，現われる振幅−変調信号の引き続く同期検知を用いて変調される。」）　
　　
（１−カ）　
「In order to modulate the frequency of the illuminating or recorded radiation, either periodic change of spectral filters is performed, or periodic switching of the illuminating or/and recording elements with variable spectrum of illumination or detection is employed. Under these conditions, the intensities of the illuminating radiation are carefully equalized in the limits of the spectral band of the modulation. When detection is performed with the help of a television camera based on a CCD-array, for example, the image of the investigated subject, obtained at one of the frequencies from the modulation band synchronously with the filter changing, is counted with the help of an array control block and stored at the buffer memory (of other CCD array, for example). The other image, obtained synchronously with changing the filters to provide another frequency, is subtracted from the first one. The image difference thus obtained is accumulated either at the same buffer memory or at an additional one during a time interval much less than the time constant of the process investigated (usually the accumulation time is chosen to be 0.1-10 s). The synchronous accumulation of the spectral image differences may be also performed in a digital form by digitizing each frame and using a digital-video memory with a microprocessor, for example, DT-2861 board of DATA TRANSLATION. Thus accumulated differences of the spectral images are sent with the help of a dynamic interface board to a video memory of a personal computer for further data processing. Instead of the spectral filters, two-color (or multi-color) CCD camera can be used accumulating differences of the spectral images.」（６欄３９〜６７行，当審仮訳：「照明放射または記録される放射の周波数を変調するために，スペクトルフィルターの周期的交換が行なわれるか，あるいは照明可変スペクトルまたは検知可変スペクトルを備えた照明または／および検知要素の周期的スイッチングが使用される。これらの条件下では，照明する放射の強度は，注意深く，変調スペクトル帯域の範囲の中で等しくされる。検出がＣＣＤアレイに基づいたテレビジョンカメラの助けを借りて行なわれる場合，例えば調査された個体の画像は，フィルター交換で同期的に変調帯域からの周波数の１つで得られて，アレイ制御ブロックの助けを借りて計数され，バッファーメモリ（例えば，他のＣＣＤアレイ）に格納される。別の周波数を提供するためにフィルターを変更することで，同期して得られた別の画像は，最初のものから減算される。このように得られた画像差は，調査されたプロセスの時定数よりはるかに少ない期間中に同じバッファーメモリ，あるいは追加的メモリーで蓄積される（通常，蓄積時間は０．１−１０ｓに選ばれる）。スペクトル画像差の同期蓄積も，また各フレームをディジタル化することによって，およびマイクロプロセッサー，例えば，DATA　TRANSLATIONのＤＴ−２８６１ボードを備えたディジタル−ビデオメモリーの使用によって，ディジタル形式で行ない得る。このように，スペクトル画像の蓄積された相違は，さらなるデータ処理のために，パソコンのビデオメモリにダイナミックインターフェースボードの助けを借りて送られる。スペクトルフィルターの代わりに，二色（あるいはマルチカラー）ＣＣＤカメラがスペクトル画像の相違の蓄積に使用することができる。」）　
　
（１−キ）　
「1. An apparatus for the investigation of distribution of physiological components in human body tissues over a preselected area of the body comprising:　
illumination means for providing electromagnetic radiation to illuminate the preselected area of the body at one or more spectral bands;　
control means operably connected to said illumination means for modulating said illumination means in both frequency and amplitude;　
photodetector means for receiving and recording spatial distribution of intensity of electromagnetic radiation reflected from said preselected area of the body;　
accumulator means operably connected to said control means and said photodetector means for:
forming sequences of video images over a preselected period of time from said recorded spatial distribution of intensity of said reflected electromagnetic radiation from said preselected area of the body;　
subtracting a reference video image from any video image from said sequences of video images resulting in sequences of subtracted video images; and　
accumulating said sequences of subtracted video images for processing in a computer;　
display means operably connected to said computer for displaying, based upon said sequences of subtracted video images, the distribution of physiological components in human body tissues over the preselected area of the body; and　
interface means for coordinating said control means with said photodetector means and said accumulator means by said computer.　」（９欄５２行〜１０欄１４行，当審仮訳：「１．体の予め選ばれた領域の人体組織中の生理的な成分の分布の調査用の装置であって，次のものを含む：　
　１またはそれ以上のスペクトル帯域で体の予め選ばれた領域を照明するために電磁放射を提供するための照明手段；　
　周波数と振幅の両方において前記照明手段を変調するための前記照明手段に操作可能に接続された制御手段；　
　体の前記予め選ばれた領域から反射された電磁放射の強度の空間分布を受け取り記録するための光検出器手段；　
　次のために前記制御手段と前記光検出器手段に操作可能に接続されたアキュムレーター手段：　
　体の前記予め選ばれた領域からの前記反射された電磁放射の前記記録された強度空間分布から，予め選ばれた期間にわたってビデオ画像のシーケンスを形成すること；　
　差し引かれたビデオ画像のシーケンスに帰着する，ビデオ画像の前記シーケンスからの任意のビデオ画像から参照映像画像を差し引くこと；　
　そして　
　コンピューターで処理するための差し引かれたビデオ画像の前記シーケンスを蓄積すること；　
　差し引かれたビデオ画像の前記シーケンスに基づいて，体の予め選ばれた領域上の人体組織中の生理的な成分の分布を表示するために前記コンピューターに操作可能に接続された手段；　
　および　
　前記制御手段を前記コンピューターによって前記光検出器手段および前記アキュムレーター手段と調和的に働かせるためのインタフェース手段。　」）　
　　
第３　当審の判断　
１　刊行物１に記載された発明　
（１）上記記載事項（１−ア）の「人体組織中の生理的な成分の分布の調査用装置は，制御ブロックを備えた調査領域の光学的照明用の照明器，調査領域画像の記録用の検知デバイス，放射波長の指定手段，結像システム，ビデオ制御デバイス，およびフレームシーケンスの画像処理システムのビデオメモリの形成と蓄積のためのダイナミックインターフェースボードを含んでいる。」との記載からみて，刊行物１に記載された「人体組織中の生理的な成分の分布の調査用装置」は，被検体としての人体からの反射光を検知し画像として記録することからみて，撮像する「検知デバイス」を備えているといえる。　
　　
（２）上記記載事項（１−オ）によれば，刊行物１には，「照明光波長を変調する代わりに，変調区間より広いスペクトル帯域を有する広帯域照明を使用して，光検出器の検知スペクトル帯域を波長変調して検知する」ことが記載されており，上記記載事項（１−カ）によれば，「記録される放射の波長（周波数）を変調する手段として，スペクトルフィルターの周期的交換により行なえる」ことが記載されている。　
　そうすると，照明光波長を変調する代わりに，変調区間より広いスペクトル帯域を有する広帯域照明を使用した場合の図１に対応する装置においては，図１Ａ，１Ｂ中の番号６が付されている「記録される放射の周波数変調用のデバイス」は，「透過スペクトルを可変できる波長可変フィルター」であるといえる。　
　　
（３）上記記載事項（１−カ）には「検出がＣＣＤアレイに基づいたテレビジョンカメラの助けを借りて行なわれる場合、例えば調査された個体の画像は、フィルター交換で同期的に変調帯域からの周波数の１つで得られて、アレイ制御ブロックの助けを借りて計数され、バッファーメモリ（例えば、他のＣＣＤアレイ）に格納される。別の周波数を提供するためにフィルターを変更することで、同期して得られた別の画像は、最初のものから減算される。調査された個体の画像は、フィルター交換で同期的に変調帯域からの周波数の１つで得られて、アレイ制御ブロックの助けを借りて計数され、バッファーメモリ（例えば、他のＣＣＤアレイ）に格納される。別の周波数を提供するためにフィルターを変更することで、同期して得られた別の画像は、最初のものから減算される。」とあるから，刊行物１には，「ある１つのある周波数に対応する１つのスペクトルフィルターを介してＣＣＤアレイに基づいたテレビジョンカメラで撮像した画像と，フィルター交換により他の１つのある周波数に対応する１つのスペクトルフィルターを介しての該テレビジョンカメラで撮像した画像とが得られて，それらの画像の差分を演算する」ことが記載されているといえる。　
　そして，演算された画像の差分は，上記記載事項（１−キ）によれば，体の予め選ばれた領域上の人体組織中の生理的な成分の分布を表示するために使用され，そのような生理的な成分として，血流中に主として存在するオキシヘモグロビンやデオキシヘモグロビンが上記記載事項（１−ウ）に挙げられている。また，刊行物１記載の方法と装置により，「このようにして得られた反射光の強度の空間分布のマップシーケンスは，動脈および静脈性毛細血管血液成分の機能的な動きの空間的な絵についての情報を与える」ことも記載されている（上記記載事項（１−イ）参照）。　
　そうすると，刊行物１には，「波長可変フィルタを介して撮像装置で撮像した画像を処理することで，人体組織（被検体）の血流状態を示すイメージの画像を生成する画像処理部とを備える画像診断装置」が記載されているといえる。　
　　
（４）さらに，酸素を結合したヘモグロビン（酸化ヘモグロビン）であるオキシヘモグロビンに対して，「部分的デオキシヘモグロビン」は脱酸素されているので「還元ヘモグロビン」といえるものであるところ，「部分的デオキシヘモグロビン」の分布を表示するために，撮像に使用される波長については，上記記載事項（１−エ）には「部分的デオキシヘモグロビン濃度を記録するために、波長変調は０．６８μの近くで行なわれる。その波長では、オキシヘモグロビン吸収が最小である（波長変動係数がゼロに等しい）。変調区間は０．６３から０．７２μまでで選択される。」と記載されている。　
　一方，本願明細書の請求項４には「請求項３記載の画像診断装置に於いて、還元ヘモグロビンの反射ピーク波長は、約５５５ｎｍ又は約６６０ｎｍであることを特徴とする画像診断装置。」とあるから，上記記載事項（１−エ）にある被検体還元ヘモグロビンの波長変調区間のためのフィルター交換される「波長可変フィルター」には，本願発明における「血液中の還元ヘモグロビンの反射ピーク波長の一つに透過ピークを持つように調整された波長可変フィルター」と，「前記反射ピーク波長での反射率よりも低い反射率を示す波長に透過ピークを持つように調整された波長可変フィルター」とが含まれていることになる。　　
　そうすると，刊行物１記載の装置の画像処理部も，「血液中の還元ヘモグロビンの反射ピーク波長の一つに透過ピークを持つように調整されたフィルターを介して撮像した画像と、前記反射ピーク波長での反射率よりも低い反射率を示す波長に透過ピークを持つように前記波長可変フィルタを調整して撮像した画像との差分を演算し、被検体（人体組織）の還元ヘモグロビンの分布状態を示す差分画像を生成する」ものであるといえる。そして，「変調区間は０．６３から０．７２μまで」は被検体からの反射光が可視光であることを意味する。　
　　
（５）してみると，上記記載事項（１−ア）〜（１−キ）を総合すると，刊行物１には，以下の発明が記載されていると認められる。　
　　
「被検体からの反射可視光を撮像する撮像装置と，　
  透過スペクトルを可変できる波長可変フィルタと，　
  前記波長可変フィルタを介して前記撮像装置で撮像した画像を処理することで，被検体の血流状態を示すイメージの画像を生成する画像処理部とを備える画像診断装置であって，　
  前記画像処理部は，血液中の還元ヘモグロビンの反射ピーク波長の一つに透過ピークを持つように前記波長可変フィルタを調整して撮像した画像と，前記反射ピーク波長での反射率よりも低い反射率を示す波長に透過ピークを持つように前記波長可変フィルタを調整して撮像した画像との差分を演算し，前記被検体の還元ヘモグロビンの分布状態を示す差分画像を生成する画像診断装置。」（以下，「刊行物１発明」という。）　
　　
２　対比　
　そうすると，本願発明と刊行物１発明とに相違するところはなく，本願発明は，本願出願前に頒布された上記刊行物１に記載された発明であるというべきである。　
　　
　なお，請求人は，平成１９年３月９日付けの審判請求書手続補正書において，「しかし、いずれもｓｐｅｃｔｒａｌ　ｆｉｌｔｅｒの具体的な技術内容が説明されておらず、その使用方法、効果についても一切触れていないことから、拒絶査定の指摘内容だけでは本願発明の請求項１に係る発明における『波長可変フィルタ』に相当すると判断する根拠がない。
　更に本願発明は酸化ヘモグロビンの反射波の波長の一つに透過ピークを持つ画像と、これより低い反射率を示す波長に透過ピークを持つ画像の差分を演算して被検体の酸化ヘモグロビンの分布状態を示す差分画像を生成するので、段落００６１に記載されているように、『血流の時間変化をリアルタイムで示す動画画像』が得られる。しかし、引用文献はリアルタイム処理ができるように構成されていないので、この点でも本願発明と同様の効果を得ることができない。」と主張している。
　しかしながら，上記「第３　１　（２）」にて述べたように，上記記載事項（１−イ）には「６はドライバで供給された記録される放射の周波数変調用のデバイス」と，同（１−オ）には「照明光波長の変調の代わりに，変調区間より広いスペクトル帯域を有する広帯域照明が使用され得る；この場合，光検出器の検知スペクトル帯域は，現われる振幅−変調信号の引き続く同期検知を用いて変調される。」と，また，同（１−カ）には「照明放射または記録される放射の周波数を変調するために，スペクトルフィルターの周期的交換が行なわれるか，あるいは照明可変スペクトルまたは検知可変スペクトルを備えた照明または／および検知要素の周期的スイッチングが使用される。」と記載されているのであるから，刊行物１に記載された「記録される放射の周波数変調用のデバイス」が本願発明の「透過スペクトルを可変できる波長可変フィルター」に相当することは明らかである。
　また，本願発明においては単に「被検体の還元ヘモグロビンの分布状態を示す差分画像を生成する」と特定されているのであるから，必ずしも「血流の時間変化をリアルタイムで示す動画画像を得る」ことを意味していないから，上記請求人の主張は，特許請求の範囲に基づかない主張であって，採用出来ない。
　　
第４　むすび　
　以上のとおり，本願発明は，特許法第２９条第１項第３号に該当し特許を受けることができないから，本願は，その余の請求項に係る発明について検討するまでもなく，拒絶すべきものである。　
　よって，結論のとおり審決する。